(57)【要約】【課題】印刷機内部における印刷された被印刷材料の着色を測定するための新しい方法を提供する。【解決手段】本発明に係る方法では、印刷済みの前記被印刷材料の印刷された領域は、前記印刷機内部において、複数の測定ピクセルを有するカメラによって測定され、前記カメラの複数の測定ピクセルによってそれぞれ、前記被印刷材料の前記印刷された領域の色度が検出される。さらに前記カメラを用いて、前記被印刷材料の印刷されていない領域が測定され、前記カメラの前記測定ピクセルによってそれぞれ、前記被印刷材料の前記印刷されていない領域における白レベルの値が検出されるが、このとき好適には各測定ピクセルに関し、測定技術を用いて検出された前記測定ピクセルの白レベルの値は、各測定ピクセルの補正値を決定するために、各測定ピクセルの白レベルの校正値で補正され、当該補正値を用いて、前記測定ピクセルの前記色度が修正される。【選択図】なし【特許請求の範囲】
【請求項１】
印刷機内部で、印刷された被印刷材料の着色を測定するための方法であって、
印刷済みの前記被印刷材料の印刷された領域は、前記印刷機内部において、複数の測定ピクセルを有するカメラによって測定され、
前記カメラの複数の測定ピクセルによってそれぞれ、前記被印刷材料の前記印刷された領域の色度が検出される方法において、
さらに前記カメラを用いて、前記被印刷材料の印刷されていない領域が測定され、前記カメラの前記測定ピクセルによってそれぞれ、前記被印刷材料の前記印刷されていない領域における白レベルの値が検出されるが、このとき好適には各測定ピクセルに関し、測定技術を用いて検出された白レベルの値は、各測定ピクセルの補正値を決定するために、各測定ピクセルの白レベルの校正値で補正され、当該補正値を用いて、前記測定ピクセルの前記色度が修正されることを特徴とする方法。
【請求項２】
前記検出された白レベルの値は、１つまたは複数の被印刷材料上の、同一の測定ピクセルの単独計測を複数回行った値から平均化され、当該白レベルの平均値は、前記各測定ピクセルの補正値を決定するために使用されることを特徴とする、請求項１に記載の方法。
【請求項３】
前記測定ピクセルの補正値が次の方程式から求められ、
【数１】
2009113490.tif 000009
このとき、Ｋｉはｎ次ピクセルの補正値を、Ｘｉ-Ｗはｎ次ピクセルの白レベルの校正値を、Ｘｉ-Ｓはｎ次ピクセルの黒レベルの校正値を、Ｙｉ-Ｗは測定技術で検出され、必要に応じて平均化されたｎ次ピクセルの白レベルの値を示すことを特徴とする、請求項１または２に記載の方法。
【請求項４】
さらに前記カメラを用いて、カメラの各測定ピクセルに関して黒レベルの値が検出され、各測定ピクセルに関して前記測定技術を用いて検出された測定ピクセルの黒レベルの値は、各測定ピクセルの補正値を決定するために、各測定ピクセルの黒レベルの校正値を用いて補正されることを特徴とする、請求項１に記載の方法。
【請求項５】
前記検出された黒レベルの値は、同一の測定ピクセルの単独計測を複数回行った値から平均化され、当該黒レベルの平均値は、前記各測定ピクセルの補正値を決定するために使用されることを特徴とする、請求項４に記載の方法。
【請求項６】
前記測定ピクセルの補正値が次の方程式から求められ、
【数２】
2009113490.tif 000010
このとき、Ｋｉはｎ次ピクセルの補正値を、Ｘｉ-Ｗはｎ次ピクセルの白レベルの校正値を、Ｘｉ-Ｓはｎ次ピクセルの黒レベルの校正値を、Ｙｉ-Ｗは測定技術で検出され、必要に応じて平均化されたｎ次ピクセルの白レベルの値を、Ｙｉ-Ｓは測定技術で検出され、必要に応じて平均化されたｎ次ピクセルの黒レベルの値を示すことを特徴とする、請求項４または５に記載の方法。
【請求項７】
前記印刷済みの被印刷材料の印刷されていない領域であって、白レベルの値が測定技術を用いて検出される領域の位置決めは、電子工学的方法で前段階から準備されることを特徴とする、請求項１から６のいずれか１項に記載の方法。
【請求項８】
前記印刷済みの被印刷材料の印刷されていない領域であって、白レベルの値が測定技術を用いて検出される領域の位置決めは、測定／検知システムへの手動入力によって決定されることを特徴とする、請求項１から６のいずれか１項に記載の方法。
【請求項９】
請求項１から８のいずれか１項に記載の方法であって、当該方法は前記印刷機内部においてインラインで印刷を行うために実施されることを特徴とする印刷機。
【発明の詳細な説明】
【技術分野】
【０００１】
本発明は、請求項１のおいて書き部分に記載の、印刷機内部における印刷された被印刷材料の着色を測定するための方法に関する。
【背景技術】
【０００２】
実践からすでに知られている通り、印刷機内部でインラインで印刷を行う場合の印刷された被印刷材料は、その着色に関して、複数の測定ピクセルを有するカメラを用いて次のように測定される。すなわち、印刷済みの被印刷材料はその印刷された領域において測定され、その結果カメラの複数の測定ピクセルでそれぞれ、被印刷材料の印刷された領域の色度が検出される。このとき、当該被印刷材料の測定対象領域は、照明光源によって照明される。前記カメラは、一方では使用される被印刷材料の種類に、他方では使用される光源に合わせて調整される。
【０００３】
実際には照明光源の照明挙動は、使用されるカメラの測定特性と同様、変化しうるものである。その結果、印刷された被印刷材料は等しく着色されているにもかかわらず、カメラの測定ピクセルでの測定値は異なるものとなる。それによって、実践から知られている方法では、実際は着色自体には変化がないにもかかわらず、着色が変化したと結論付けられている。このことは、この種の測定値がインキ制御に使用される場合に、印刷品質にネガティブな影響を与える。これは短所である。
【発明の開示】
【発明が解決しようとする課題】
【０００４】
上記の点に鑑み、本発明の課題は、印刷機内部における印刷された被印刷材料の着色を測定するための新しい方法を考案することにある。
【課題を解決するための手段】
【０００５】
本発明の課題は、請求項１に係る方法によって解決される。本発明に係る方法では、さらにカメラを用いて、被印刷材料の印刷されていない領域が測定され、カメラの測定ピクセルによってそれぞれ、被印刷材料の印刷されていない領域における白レベルの値が検出されるが、このとき好適には各測定ピクセルに関し、測定技術を用いて検出された白レベルの値は、各測定ピクセルの補正値を決定するために、各測定ピクセルの白レベルの校正値で補正され、当該補正値を用いて、測定ピクセルの色度が修正される。
【０００６】
本発明の提案では、被印刷材料をインラインで印刷するための印刷機内部で、印刷された被印刷材料における印刷された領域に加えて、当該被印刷材料の印刷されていない領域を測定し、さらに好適にはカメラの各測定ピクセルで、被印刷材料の印刷されていない領域における白レベルの値が検出される。好適にはカメラの各測定ピクセルに関し、測定技術を用いて検出された各測定ピクセルの白レベルの値は、各測定ピクセルの補正値を決定するために、各測定ピクセルの白レベルの校正値で補正され、当該補正値を用いて、測定技術により検出された測定ピクセルの色度が修正される。
【発明の効果】
【０００７】
これによって、照明光源の照明挙動における変化、あるいはカメラの測定特性における変化に起因する、測定された色度の変化は、補正もしくは修正されうる。照明光源の光度の変動と、カメラ全体のドリフトと、各測定ピクセルのドリフトとは、修正されることが可能であり、これらの修正によって色度の測定は影響を受けない。
【０００８】
本発明の有利なさらなる形成は個々の従属請求項と後続の詳細な説明に記載されている。本発明の実施例については、以下詳細に説明するが、本発明はこれに限定されない。
【発明を実施するための最良の形態】
【０００９】
本発明は、被印刷材料をインラインで印刷するための印刷機内部で、印刷された被印刷材料の着色を測定するための方法に関する。
【００１０】
印刷された被印刷材料の印刷された領域は、印刷機内部において、複数の測定ピクセルを有するカメラによって測定され、当該カメラの複数の測定ピクセル、好適には各測定ピクセルによって、被印刷材料の印刷された領域の色度が検出される。
【００１１】
本発明では、さらにカメラで、前記被印刷材料の印刷されていない領域が測定され、好適には前記カメラの各測定ピクセルで、前記被印刷材料の印刷されていない領域の白レベルの値が検出される。
【００１２】
好適にはカメラの各測定ピクセルに関し、測定技術を用いて検出された白レベルの値は、各測定ピクセルの補正値を決定するために、各測定ピクセルの白レベルの校正値で補正される。前記測定ピクセルの補正値を用いて、測定技術を用いて検出された測定ピクセルの色度を修正することが可能である。
【００１３】
測定技術を用いて検出された白レベルの値と、測定ピクセルの白レベルの校正値とに基づいて測定ピクセルの色度を補正する際、好適にはカメラの各測定ピクセルに関して次の方程式で求められる補正値が使用される。
【００１４】
【数１】
2009113490.tif 000002
【００１５】
このとき、Ｋｉはｎ次ピクセルの補正値を、Ｘｉ-Ｗはｎ次ピクセルの白レベルの校正値を、Ｘｉ-Ｓはｎ次ピクセルの黒レベルの校正値を、Ｙｉ-Ｗは測定技術で検出されたｎ次ピクセルの白レベルの値を示す。Ｘｉ-Ｓは０でもよい。
【００１６】
前記検出された白レベルの値は、１つまたは複数の被印刷材料上の、同一の測定ピクセルｉの単独計測を複数回行った値から平均化することができる。白レベルの平均値Ｙｉ-Ｗは、前記各測定ピクセルの補正値Ｋｉを決定するために使用される。
【００１７】
上記の補正値を用いて、次に各ピクセルの色度が以下の方程式によって求められる。
【００１８】
【数２】
2009113490.tif 000003
【００１９】
あるいは、簡単に以下の方程式によって求められる。
【００２０】
【数３】
2009113490.tif 000004
【００２１】
このとき、Ｚｉ-ＫＯＲＲはｎ次ピクセルの修正された色度を、Ｚｉ-ＭＥＳＳはｎ次ピクセルの測定された色度を示す。Ｘｉ-Ｓが０の場合は次の方程式が有効である。
【００２２】
【数４】
2009113490.tif 000005
【００２３】
本発明の有利なさらなる形成では、インライン印刷を行うために、好適にはカメラの各測定ピクセルに関し、カメラを用いて、色度および白レベルの値に加えて黒レベルの値も検出される。好適には各測定ピクセルに関し、測定技術を用いて検出された測定ピクセルの黒レベルの値は、各測定ピクセルの補正値を決定するために、各測定ピクセルの黒レベルの校正値を用いて次の方程式で求められる。
【００２４】
【数５】
2009113490.tif 000006
【００２５】
このとき、Ｋｉはｎ次ピクセルの補正値を、Ｘｉ-Ｗはｎ次ピクセルの白レベルの校正値を、Ｘｉ-Ｓはｎ次ピクセルの黒レベルの校正値を、Ｙｉ-Ｗは測定技術で検出され、必要に応じて平均化されたｎ次ピクセルの白レベルの値を、Ｙｉ-Ｓは測定技術で検出されたｎ次ピクセルの黒レベルの値を示す。
【００２６】
この場合も、前記検出された黒レベルの値は、同一の測定ピクセルｉの単独計測を複数回行った値から平均化することができる。黒レベルの平均値Ｙｉ-Ｓは、前記各測定ピクセルの補正値Ｋｉを決定するために使用される。
【００２７】
上記補正値でも、各測定ピクセルの色度の補正が行われるが、それは当該色度が各測定ピクセルの補正値で、次の方程式で補正されることによる。
【００２８】
【数６】
2009113490.tif 000007
【００２９】
あるいは、簡単に以下の方程式によって求められる。
【００３０】
【数７】
2009113490.tif 000008
【００３１】
このとき、Ｚｉ-ＫＯＲＲはｎ次ピクセルの修正された色度を、Ｚｉ-ＭＥＳＳはｎ次ピクセルの測定された色度を示す。
【００３２】
黒レベルの値は測定技術を用いて検出されるが、当該測定はカメラがその測定領域に何ら被印刷材料が存在しないときに、測定値を受信するように行われる。
【００３３】
本発明に係る方法では、好適にはカメラの各測定ピクセルに関して、継続した白レベル補正と黒レベル補正とが行われうる。カメラの変化する測定挙動および照明光源の変化する照明挙動に起因する色度の変化は補正されることが可能であり、それゆえ、印刷された被印刷材料の着色の測定は、カメラや光源の挙動の変化に影響されない。これによって、印刷された被印刷材料の着色の測定に関して質的向上を図ることが可能となる。
【００３４】
印刷済みの被印刷材料の印刷されていない領域であって、白レベルの値が測定技術を用いて検出される領域の位置決めは、電子工学的方法で前段階から準備されるか、あるいは測定／検知システムへの手動入力によって決定される。印刷済みの被印刷材料の印刷された領域であって、色度が測定技術を用いて検出される領域の位置決めは、好適には電子工学的方法で前段階から準備される。しかしながら当該領域も、測定／検知システムへの手動入力によって決定されることが可能である。